(57)【要約】      （修正有）【課題】記念写真と挨拶文を簡単容易に装着し得、かつ、簡単な構成で記念写真と挨拶文を一緒にして各参列者、親族等に贈ることができる記念アルバムを提供する。【解決手段】第１の表紙２と第２の表紙３とを連接部４で折返し可能に連接したアルバム本体１Ａにおいて、第１の表紙２の裏面に、四方形の板体６と、この板体６の４角に掛止用テープ８ａ、８ｂ、８ｃ、８ｄからなる写真装着部１０を設けて記念写真１０Ａを装着し、第２の表紙３の裏面に、四方形の板体７と、この板体７の４角に掛止用テープ９ａ、９ｂ、９ｃ、９ｄからなる記念文装着部１１を設けて記念文１１Ａを装着する。【選択図】図２
0003182922.tif 000002
【実用新案登録請求の範囲】
【請求項１】
第１の厚手表紙と第２の厚手表紙とを両表紙の一辺で折り返し可能に連結したアルバム本体において、前記第１の厚手表紙と第２の厚手表紙の綴じ状態で相対する裏紙面の一方に記念写真を装着する記念写真装着部を設けるとともに、相対する裏紙面の他方に記念文を装着する記念文装着部を設けたことを特徴とする記念アルバム。
【請求項２】
前記記念写真装着部は、前記厚手表紙裏紙面の少なくとも相対する２角部に、記念写真の少なくとも相対する２角部を装着する装着部を設け、及び若しくはるとともに、前記記念文装着部は、前記厚手表紙裏紙面の少なくとも相対する２角部に、記念文記載紙の少なくとも相対する２角部を装着する挿着部を設けることを特徴とする請求項１記載の記念アルバム。
【請求項３】
前記記念写真装着部及び若しくは前記記念文装着部のそれぞれ相対２角の装着部は、各２角に対し、斜めに交叉する態様で、かつ表紙裏面に両端固定で貼張されるテープで形成されることを特徴とする請求項２記載の記念アルバム。
【請求項４】
前記記念写真装着部及び若しくは前記記念文装着部のそれぞれ相対２角の装着部は、各２角の頂角より３角形状のシートが頂角の相隣る２辺が表紙裏面に固定され、頂角に対応する辺が開放される態様で形成されることを特徴とする請求項２記載の記念アルバム。
【請求項５】
前記記念写真装着部及び若しくは前記記念文装着部のそれぞれ相対２角の装着部は、各表紙裏面の相対２角の近傍隅部に形成される粘接着部であることを特徴とする請求項２記載の記念アルバム。
【考案の詳細な説明】
【技術分野】
【０００１】
本考案は、結婚式など慶事を迎えた者の写真、あるい告別式等弔事における物故者の写真（遺影）とともに、それぞれの参列者への謝辞等の挨拶文を伴わせて付した記念アルバムに関する。
【背景技術】
【０００２】
従来、お祝い事、例えば結婚した新郎・新婦は、結婚式が行われた式場であるいは写真館で二人の写真を撮影し、式当日あるいは後日に二人の写真を参列者にお送りするとともに、参列戴き、お祝いをして戴いた方にお礼の手紙を出すことが一般的に行われている。
また、肉親に物故者（新仏）が出て、その追悼・供養をする際に、葬儀場で物故者の遺影を掲げるとともに、参列者には、会葬戴いたお礼の紙葉をお渡しすることも行われている。
【０００３】
もっとも、従来の慶事に関する写真、弔事における物故者に係る写真が多くの参列者に配布されることは、それほどなく、葬儀の際、親族などから、新仏の記念となる写真を求められ、従来は求めに応じて焼き増しした写真を渡し、撮影の時期・場所などを説明していたのが一般的であったところから、将来、新仏の生前を思い出す資料として利用出来るよう、新仏となった肉親者の追悼と供養にふさわしい品として、主体は撮影時の状況など説明文を付けた１０枚前後の写真、巻頭に新仏に棒呈する詞、巻末に配偶者若しくは遺族代表者による惜別の詩、これに相応する表紙、の四階の編集で作成する記念アルバムが開示されている（例えば特許文献１参照）。
【先行技術文献】
【特許文献】
【０００４】
【特許文献１】特開２００１−８０２４０号公報
【考案の概要】
【考案が解決しようとする課題】
【０００５】
上記したように、従来、結婚式などの慶事や、物故者の葬儀などの弔事において、結婚式や葬式の参列者に、新婚の２人の写真と参列者へのお礼の手紙文を参列者に、また葬儀の参列者に物故者の生存時の写真と、さらに参列者への御礼文や戒名などを付した物故者に係る内容文を、手間を掛けることなく各参列者に届けるということが困難であった。
【０００６】
一方、上記特許文献１に記載の記念アルバムでは、従来より、多くの情報、具体的には、撮影時の状況などの説明文を付けた１０枚前後の写真、巻頭の新仏に棒呈する詞、巻末に配偶者若しくは遺族代表による惜別の詩、これに相応する表紙から構成されるものであり、従来に比べて、より多くの情報が、親族など各参列者に故人の生前を思い出す資料を渡せるようになった。
【０００７】
しかし、この特許文献１に記載の記念アルバムにおいては、写真の他に多くの情報を記載するものであるため、製作に手間、費用を要するおそれがある。
本考案は、上記問題点に着目してなされたものであって、簡単な構成で製作
に手間を要することなく、写真と、写真に係る関連情報を参列者や親族などに届け得る記念アルバムを提供することを目的とする。
【課題を解決するための手段】
【０００８】
上記目的を達成するために、本考案の記念アルバムは、第１の厚手表紙と
第２の厚手表紙とを両表紙の一辺で折り返し可能に連結したアルバム本体において、前記第１の厚手表紙と第２の厚手表紙の綴じ状態で相対する裏紙面の一方に記念写真を装着する記念写真装着部を設けるとともに、相対する裏紙面の他方に記念文を装着する記念文装着部を設けたことを特徴とする。
【０００９】
本考案の記念アルバムにおいて、さらに具体的に、前記記念写真装着部は、前記厚手表紙裏面の少なくとも相対する２角部に、記念写真の少なくとも相対する２角部を装着する装着部を設け、及び若しくは前記記念文装着部は、前記厚手表紙裏面の少なくとも相対する２角部に、記念文記載紙の少なくとも相対する２角部を装着する挿着部を設けることとしても良い。
【００１０】
また、本考案の記念アルバムにおいて、更に具体的に、前記記念写真装着部及び若しくは前記記念文装着部のそれぞれの相対２角の装着部は、各２角に対し、斜めに交叉する態様で、かつ表紙裏面に両端固定で貼張されるテープで形成しても良い。
【００１１】
また、本考案の記念アルバムにおいて、更に具体的に、前記記念写真装着部及び若しくは前記記念文装着部のそれぞれの相対２角の装着部は、各２角の頂角より３角形状のシートが頂角の相隣る２辺が表紙裏面に固定され、頂角に対応する辺が開放される態様で形成しても良い。
【００１２】
また、本稿案の記念アルバムににおいて、更に具体的に、前記記念写真装着部及び若しくは前記記念文装着部のそれぞれ相対２角の装着部は、各表紙裏面の相対２角の近隣隅部に形成される粘接着部としても良い。
【考案の効果】
【００１３】
本考案によれば、第１の厚手表紙と第２の厚手表紙の相対向する紙面の一方に記念写真装着部を設け、相対する紙面の他方に記念文装着部を設けているので、記念写真と記念文を簡単容易に装着し得るとともに、簡単な構成のアルバムで記念写真と、それに係る記念文を一緒に各参列者、親族等に贈ることができる。また、記念写真及び記念文を装着した状態で、簡単かつ安定に卓上等に立てることができる。
【図面の簡単な説明】
【００１４】
【図１】本考案の実施形態１の記念アルバムを示す図であり、（ａ）は、記念アルバムの平面図、（ｂ）は、同記念アルバムの側面図である。
【図２】同実施形態記念アルバムを机上などに立てた状態を示す斜視図である。
【図３】本考案の他の実施形態２の記念アルバムの平面図である。
【図４】同実施形態２の記念アルバムを机上などに立てた状態を示す斜視図である。
【図５】同実施形態２の記念アルバムの写真装着部に装着する枠板付きの写真を示す図である。
【図６】同実施形態２の記念アルバムの戒名、手紙文などを貼付した紙片を示す図である。
【図７】本考案の他の実施形態３の記念アルバムの写真装着部、文章装着部を示す図である。
【考案を実施するための形態】
【００１５】
以下、実施の形態により、本考案をさらに詳細に説明する。
〈実施形態１〉
図１は、本考案の一実施形態記念アルバムを示す図であり、図１の（ａ）は、記念アルバムの平面図、図１の（ｂ）は、同記念アルバムの側面図であり、図２は同記念アルバムを机上などに立てた状態を示す斜視図である。
【００１６】
この記念アルバム１Ａは、外形が通常市販の写真アルバムの写真収納ページを除いた表表紙と裏表紙とからなるものと同様、四角形の第１の表紙２と、同じく四角形の第２の表紙３が、連接部４により、それぞれの内面を開閉自在に連接されている。
第１の表紙２，及び第２の表紙３は、一体的な一枚の布地あるいはビニール地等の生地５に、厚手の紙、樹脂材等の板体６，７が貼着されて厚手に形成されている。この第１の表紙２及び第２の表紙３は、板体６，７が布地等によって被覆されて、厚手に形成されるものであっても良い。
【００１７】
第１の表紙２の裏面の板体６の角４隅には、板体６の横辺から縦辺にかけて布地のテープ８ａ、８ｂ、８ｃ、８ｄが、設けられている。同様に第２の表紙３の裏面の板体７の角４隅には、板体７の横辺から縦辺にかけて布地のテープ９ａ、９ｂ、９ｃ、９ｄが、設けられている。この板体６とテープ８ａ、８ｂ、８ｃ、８ｄで記念写真装着部１０を構成している。また、板体７とのテープ９ａ、９ｂ、９ｃ、９ｄで記念文装着部１１を構成している。
【００１８】
本実施形態記念アルバムは、おめでたい慶事の折、例えば結婚式の新郎・新婦が、式当日に参列者に、あるいは知人、親友、親戚、その他お世話になった人達にお送りする記念アルバムとして使用することができる。このような場合、新婚二人の写真、または新郎あるいは新婦の写真を直接、あるいは台紙に貼付したものを記念写真１０Ａとしてその４隅を、記念写真装着部１０の第１の板体６上のテープ８ａ、８ｂ、８ｃ、８ｄに潜らせて装着し、さらに、御礼の挨拶文である記念文１１Ａの４隅を、記念文装着部１１の第２の板体７上のテープ９ａ、９ｂ、９ｃ、９ｄに潜らせて装着する。
【００１９】
なお、この実施形態では、装着部を構成するのに、板体６の４隅にテープ８ａ、８ｂ、８ｃ、８ｄを、板体７の４隅にテープ９ａ、９ｂ、９ｃ、９ｄを設けているが、いずれか相対する２角、例えば板体６におけるテープ８ａ、８ｃ、板体７におけるテープ９ａ、９ｂのみを設ける装着部としても良い。
【００２０】
〈実施形態２〉
次に、実施形態２について説明する。図３は、本実施形態２の記念アルバムの平面図、図４は同記念アルバムを机上などに立てた状態を示す斜視図である。
この実施形態記念アルバム１Ｂも四角形の第１の表紙２と、同じく四角形の第２の表紙３が、連接部４により、それぞれの内面を開閉自在に連接されているものである点で、実施形態１のものと変わるところはない。
【００２１】
この実施形態記念アルバムの特徴は、第１の表紙２の裏面の板体６の角４隅のうち相対２角部６ａ、６ｃに３角形状のシート１２ａ、１２ｃを設け、第２の表紙３の裏面の板体７の角４隅のうち相対２角部７ａ、７ｃに３角形状のシート１３ａ、１３ｃを設けたことである。これらのシート１２ａ、１２ｃ及びシート１３ａ、１３ｃは、三角形の角部６ａ、６ｃ及び７ａ、７ｃに沿った２辺が板体６，７に貼付固定され、角部６ａ、６ｃ及び７ａ、７ｃに対面する辺のみが開放されている。
【００２２】
本実施形態記念アルバムは、弔事のおり、例えば身内に物故者が出たときの葬式において物故者を思い出していただき、また親戚・近親者が、この記念アルバムを仏壇代わりにして使用して頂くのに好適である。
【００２３】
物故者が出た場合に、新仏の想い出となる写真１４を図５に示すように開口１５より目視出来るようにした四辺形の紙片１６に貼り付け、この写真１４貼付の紙片１６の相対角１６ａ、１６ｃをシート１２ａ、１２ｃに潜らせて装着し、さらに記念アルバム１Ｂの第２の板体７上に、新仏の戒名あるいは新仏への想い出文を図６に示すように欄１７に記載した紙片１８の相対角１８ａ，１８ｃを、シート１３ａ、１３ｃに潜らせて装着する。
この実施形態２においては、シート１２ａ、１２ｃとシート１３ａ、１３ｃは、それぞれ相対二角部６ａ、６ｃと７ａ、７ｃに設けているが、これに加えて板板体６、７の、それぞれ他の相対２角部にも、つまり板体６、７の４隅角に三角形状のシートを設けてもよい。
〈実施形態３〉
さらに、実施形態３について説明する。図７は実施形態３の記念アルバム１Ｃを示す平面図である。
【００２４】
この実施形態記念アルバム１Ｃも、四角形の第１の表紙２と四角形の第２の表紙３が連接部４により、それぞれ内面に開閉自在に連接されているものである点で実施形態１、２のものと変わるところはない。
【００２５】
この実施形態記念アルバム１Ｃの特徴は、第１の表紙２の裏面の板体６の四隅部６ａ、６ｂ、６ｃ、６ｄに、それぞれ粘接着部３１ａ、３１ｂ、３１ｃ、３１ｄを設け、第２の表紙３の裏面の板体７の四隅部７ａ、７ｂ、７ｃ、７ｄに、それぞれ粘接着部３２ａ、３２ｂ、３２ｃ、３２ｄを設けたことである。
【００２６】
この実施形態３の記念アルバム１Ｃは、実施形態１の記念アルバムと同様に慶事、例えば結婚式の新郎・新婦が式当日に参列者に、あるいは知人、親友、親戚、その他お世話になった人達にお送りする記念アルバムとして使用できる。
この実施形態記念アルバム１Ｃでは、装着前の未使用時には、粘接着部３１ａ、３１ｂ、３１ｃ、３１ｄ及び各粘接着部３２ａ、３２ｂ、３２ｃ、３２ｄは、薄膜シート３３ａ、３３ｂ、３３ｃ、３３ｄ及び薄膜シート３４ａ、３４ｂ、３４ｃ、３４ｄで被服保護されている。
【００２７】
この記念アルバム１Ｃに、例えば新郎・新婦の写真を、薄膜シート３３ａ、３３ｂ、３３ｃ、３３ｄを剥がして粘接着部３１ａ、３１ｂ、３１ｃ、３１ｄに貼着し、同様に手紙文を薄膜シート３４ａ、３４ｂ、３４ｃ、３４ｄを剥がして粘接着部３２ａ、３２ｂ、３２ｃ、３２ｄに貼着し、二人の記念アルバムとしてお渡しする。
【００２８】
なお、この実施形態３においては、第１の表紙２と第２の表紙３の裏面の板体６，７の４隅に、それぞれ粘接着部を形成しているが、これに代えて、板体６，７の上面に接着剤で記念写真、及び記念文を貼着するようにしても良い。
また、上記各実施形態においては、いずれも第１の表紙２と第２の表紙３の裏面への装着を同様の手段を使用して行っているが、本考案においては、記念アルバムの使用状況に応じ、一方への装着を他方への装着と異なる手段を用いるようにしても良い。
【符号の説明】
【００２９】
１Ａ、１Ｂ、１Ｃ        記念アルバム
２                      第１の表紙          
３                      第２の表紙        
４                      第１の表紙と第２の表紙の連接部
５                      第１と第２の表紙用生地
６                      第１の表紙用板体
７                      第２の表紙用板体
８ａ、８ｂ、８ｃ、８ｄ  写真掛止用テープ
９ａ、９ｂ、９ｃ、９ｄ  文章掛止用テープ
１０                    記念写真装着部
１０Ａ、１４            記念写真
１１                    記念文装着部
１１Ａ                  記念文
１２ａ、１２ｃ          写真係止用３角シート
１３ａ、１３ｃ          記念文係止用３角シート
１５                    記念写真貼付台紙開口部                    
１６                    記念写真貼付台紙
１７                    記念文記載欄
１８                    記念文貼付台紙  
３１ａ、３１ｂ、３１ｃ、３１ｄ
写真貼付用粘接着部
３２ａ、３２ｂ、３２ｃ、３２ｄ
記念文貼付用粘接着部                            
【図１】
0003182922.tif 000003
【図２】
0003182922.tif 000004
【図３】
0003182922.tif 000005
【図４】
0003182922.tif 000006
【図５】
0003182922.tif 000007
【図６】
0003182922.tif 000008
【図７】
0003182922.tif 000009
【手続補正書】
【提出日】平成25年2月19日(2013.2.19)
【手続補正１】
【補正対象書類名】図面
【補正対象項目名】図５
【補正方法】変更
【補正の内容】
【図５】
0003182922.tif 000010